【手続補正書】
【提出日】平成22年1月7日(2010.1.7)
【手続補正１】
【補正対象書類名】明細書
【補正対象項目名】００２１
【補正方法】変更
【補正の内容】
【００２１】
図１は、ＨＤＤの筐体のトップ・カバーがない状態の上面図を示している。ＨＤＤは、データを記録するディスクである磁気ディスク１１を備えている。本形態の磁気ディスク１１は、図１６（ａ）を参照して説明したような凹凸構造を有している。つまり、半径方向に交互に位置するランド（凸部）とグルーブ（凹部）を有する。また、図１６（ｂ）に示すように、ビット方向（円周方向）においても凹凸構造を有してもよい。
【手続補正２】
【補正対象書類名】明細書
【補正対象項目名】００２５
【補正方法】変更
【補正の内容】
【００２５】
磁気ディスク１１の回転が停止する等のときには、アクチュエータ１０６はヘッド・スライダ１０５をデータ領域からランプ１１５に退避させる。上記各構成要素の動作は、制御回路基板（不図示）上の制御回路が制御する。なお、ヘッド・スライダ１０５がデータ書き込み／読み出し処理を行わない場合に、磁気ディスク１１の内周に配置されているゾーンに退避するＣＳＳ（Contact Start and Stop）方式に、本発明を適用することも可能である。また、上記の説明では、簡単のために磁気ディスク１１が一枚構成で、片面記憶のタイプを説明しているが、ＨＤＤは、１もしくは複数枚の両面記憶磁気ディスクを備えることができる。
【手続補正３】
【補正対象書類名】明細書
【補正対象項目名】００３６
【補正方法】変更
【補正の内容】
【００３６】
また、本発明の磁気記録媒体では必要に応じて記録層のグルーブ（凹部）に非磁性膜（図８の非磁性膜２１を参照）を形成し媒体表面の平坦化してもよい。さらに、本発明の磁気記録媒体において記録層１９もしくは非磁性膜の上に保護膜を形成することが好ましい。また、軟磁性裏打ち層２０の平坦部２０ｂと軟磁性裏打ち層２０の凸部（ランド）２０ａとの間に非磁性層を介入してもよい。非磁性層の材質としてはＳｉＯ２、Ａｌ２Ｏ３、ＴｉＯ２などの酸化物やＳｉ３Ｎ４、ＡｌＮ、ＴｉＮなどの炭化物などが用いられる。
【手続補正４】
【補正対象書類名】明細書
【補正対象項目名】００４０
【補正方法】変更
【補正の内容】
【００４０】
図３に示すように、主磁極ポール・ティップ１Ｂのトレーリング側端辺の半径方向寸法が、トラック幅を規定する幅Ｐｗである。また、サイド・ギャップs_gl_1、s_gl_2は、幅Ｐｗであるトレーリング側端辺に沿った方向における、そのトレーリング側端辺の各端点とサイド・シールド３３との間の距離である。左右のサイド・シールド３３間のトレーリング側における幅は、w_trailingとして示されている。また、左右のサイド・シールド３３間のリーディング側における幅は、w_leadingとして示されている。トレーリング・シールド３２と主磁極ポール・ティップ１Ｂのトレーリング側端辺との間の距離は、トレーリング・ギャップt_glである。
【手続補正５】
【補正対象書類名】明細書
【補正対象項目名】００４２
【補正方法】変更
【補正の内容】
【００４２】
同様の視点から、図３に示すように、サイド・シールド３３が主磁極ポール・ティップ１Ｂのベベル角に沿うように形成される場合に、設定されたサイド・ギャップに対しては、上記数式２を満たすように、トレーリング・ギャップt_glを構成することが好ましい。すなわち、図３に示すように、ベベル角をｂとすると、設定されたサイド・ギャップs_gl_1、s_gl_2に対して、以下の数式３を満たすようにトレーリング・ギャップt_glの大きさを設定することが好ましい。
2×t_gl≦((w_land＋w_groove_1＋w_groove_2)−(Pw＋s_gl_1＋s_gl_2))／tan(b)
（数式３）
【手続補正６】
【補正対象書類名】明細書
【補正対象項目名】００４７
【補正方法】変更
【補正の内容】
【００４７】
また、図３の例では、サイド・シールド３３が主磁極ポール・ティップ１Ｂのベベル角に沿うように形成され、サイド・シールド３３の形状が主磁極ポール・ティップ１Ｂの形状に沿ったものである。このため、サイド・シールド３３のトレーリング側間隔w_trailingがリーディング側間隔w_leadingよりも大きくなる。つまり、（数式２）が成立すれば、（数式３）が必ず成立する。
【手続補正７】
【補正対象書類名】明細書
【補正対象項目名】００４９
【補正方法】変更
【補正の内容】
【００４９】
続いて、図４を参照して、磁気ヘッド１４とトラックとの間にスキュー角が存在する場合について説明する。ＨＤＤにおいて、記録トラックに対して磁気ヘッド１４はある角度で傾く。これをスキュー角と呼ぶ。ヘッドにスキュー角がついた場合、記録ヘッド２５のサイド・シールド３３のリーディング側部分が、図４に示すように、隣接トラックの方向へはみ出る。そこで、本発明の考え方から、隣接トラックのトラック幅を規定するランド（図３の例において軟磁性裏打ち層２０のランド）のエッジに磁束が流れ込まないように、サイド・シールド３３の端部Ｐ１が隣接トラックのランドよりも主磁極１側になる、つまり、端部Ｐ１が隣接トラックのランドに重ならないように構成することが好ましい。
【手続補正８】
【補正対象書類名】明細書
【補正対象項目名】００５４
【補正方法】変更
【補正の内容】
【００５４】
磁気記録媒体の軟磁性裏打ち層２０の材料としては飽和磁束密度１．３５Ｔを想定した。軟磁性裏打ち層２０の平坦部の厚さは５０ｎｍ、軟磁性裏打ち層２０のランド（凸部）の厚さは５０ｎｍとした。また、軟磁性裏打ち層２０のランド（凸部）の幅は５０ｎｍ、グルーブ（凹部）の幅は５０ｎｍとした。記録磁界は、ヘッド浮上面から１５ｎｍの磁気記録層中心位置を想定した位置で算出した。磁気記録層１９は膜厚だけを考慮した磁気ヘッドと裏打ち層表面までの距離は３１ｎｍとした。サイド・ギャップ長の大きさが８５ｎｍの磁気ヘッド／磁気記録媒体の従来構造の構成に対しては、サイド・シールドの大きさ以外は、形状、材料ともに上記例の磁気ヘッドと同様の条件で計算を行った。
【手続補正９】
【補正対象書類名】明細書
【補正対象項目名】００５７
【補正方法】変更
【補正の内容】
【００５７】
また、図７には隣接トラック・エッジに印加される磁界のサイド・ギャップ長依存性を示したものである。横軸はサイド・ギャップ長、縦軸は隣接トラック位置での磁界強度である。以上のような本形態の磁気ヘッドを用いると、パターンが施された垂直磁気記録用媒体において隣接トラックに印加される磁界強度を抑制でき、隣接トラックのデータの消去・減衰を抑制して高密度化した磁気記録装置を提供できる。
【手続補正１０】
【補正対象書類名】明細書
【補正対象項目名】００６６
【補正方法】変更
【補正の内容】
【００６６】
【図１】本実施形態に係るＨＤＤの全体構成を模式的に示す平面図である。
【図２】本実施形態に係る磁気ヘッドと磁気記録媒体の一例をトレーリング方向から見た主磁極トレーリング端での平面模式図である。
【図３】本実施形態に係る主磁極先端付近の浮上面平面模式図である。
【図４】本実施形態に係るスキューが生じた時の磁気ヘッドの位置を示す平面模式図である。
【図５】本実施形態の例と比較例の等磁界曲線である。
【図６】本実施形態の例と比較例のトラック幅方向の磁界分布図である。
【図７】本実施形態に係る隣接トラックの凸部の端部に印加される磁界強度のサイド・ギャップ長依存性を示す図である。
【図８】本実施形態に係る磁気ヘッドと磁気記録媒体の別の一例をトレーリング方向から見た主磁極トレーリング端での平面模式図である。
【図９】本実施形態に係る磁気ヘッドと磁気記録媒体の別の一例をトレーリング方向から見た主磁極トレーリング端での平面模式図である。
【図１０】本実施形態に係る磁気ヘッドと磁気記録媒体の別の一例をトレーリング方向から見た主磁極トレーリング端での平面模式図である。
【図１１】本実施形態に係る磁気ヘッドと磁気記録媒体の別の一例をトレーリング方向から見た主磁極トレーリング端での平面模式図である。
【図１２】従来の技術に係る磁気ヘッドと磁気記録媒体のトラック中心での断面模式図である。
【図１３】従来の技術に係る磁気ヘッドと磁気記録媒体のトラック中心での断面模式図及び浮上面平面模式図である。
【図１４】従来の技術に係る磁気ヘッドと磁気記録媒体のトラック中心での断面模式図である。
【図１５】従来の技術に係る磁気ヘッドと磁気記録媒体のトラック中心での断面模式図及び)浮上面平面模式図である。
【図１６】従来の技術に係るディスクリート媒体とパターンド媒体の模式図である。
【手続補正１１】
【補正対象書類名】明細書
【補正対象項目名】００６７
【補正方法】変更
【補正の内容】
【００６７】
１  主磁極、１Ａ  主磁極ヨーク部、１Ｂ  主磁極ポール・ティップ
２  薄膜導体コイル、３  補助磁極、７  再生素子、８  下部シールド
９  上部シールド、１０  補助シールド、１１  磁気ディスク
１４  磁気ヘッド、１６  記録ヘッド、１７  ピラー
１９  磁気記録層、２０  軟磁性裏打ち層、２１  非磁性層、２２  基板
２３  非磁性層、２４  再生ヘッド、２５  記録ヘッド、２８  モータ
３２  磁性体（トレーリング・シールド）、３３  磁性体（サイド・シールド）
１０２  ベース、１０３  スピンドル・モータ、１０５  ヘッド・スライダ
１０６  アクチュエータ、１０７  回動軸、１０９  ボイス・コイル・モータ